【事件の表示】
　特許第２６８４５８４号「ホテル等の冷蔵庫内商品利用の自動課金装置」の特許に対する特許異議の申立てについて、次のとおり決定する。
【結論】
　訂正を認める。
　特許第２６８４５８４号の特許を維持する。
【理由】
１．手続きの経緯
　本件特許第２６８４５８４号は、平成５年３月１６日に出願され、平成９年８月１５日に設定登録され、平成１０年６月２日に特許異議申立人吉田春男より特許異議の申立てがなされ、その後特許権者より平成１０年１２月７日付で訂正請求がなされ、更に平成１１年５月２１口付で訂正請求の補正がなされた。
２．補正について
　平成１１年５月２１日付訂正請求の補正は、手続補正書を提出して、平成１０年１２月７日に提出した訂正請求書及び該訂正請求書に添付した訂正明細書を補正するものであり、訂正明細書の特許請求の範囲を減縮するとともに、該減縮に伴って不明確となる明細書の記載を明瞭にするものであって、適法になされたものである。
３．訂正について
１）訂正の要旨
（１）訂正事項ａ
　本件特許明細書（以下、「本件明細書」という。）における特許請求の範囲の請求項１に係る記載、
　「冷蔵庫の付近に置かれた操作キ−装置と、該操作キー装置に接続されたインタ−フェ−ス装置と、該インタ−フェ−ス装置にテレビ共聴ラインにより接続される管理装置とから成り、前記操作キ−装置は、各冷蔵庫内商品に対応する複数の商品選択キ−、該商品選択キ−の選択操作を確認するために操作される確認キ−、前記商品選択キ−の選択操作を取り消すために操作される取消キ−、及び各商品選択キ−毎に設けられ、選択操作が確認キ−の操作により確認された時に点灯する複数の表示灯を備え、前記インタ−フェ−ス装置は、選択操作された上に前記確認キ−の操作により確認された商品選択キ−に対応する商品を識別する制御手段、及び該制御手段により識別された商品を表すデ−タ信号を前記テレビ共聴ラインを経て前記管理装置へ送信する送信手段を備え、前記管理装置は、前記インタ−フェ−ス装置からのデ−タ信号を受信し、冷蔵庫毎に課金処理し、記録する演算手段を備えたホテル等の冷蔵庫内商品利用の自動課金装置。」を、
　「冷蔵庫の付近に置かれた操作キ−装置と、該操作キ−装置に接続されたインタ−フェ−ス装置と、該インタ−フェ−ス装置にテレビ共聴ラインにより接続される管理装置とから成り、前記操作キ−装置は、各冷蔵庫内商品に対応する複数の商品選択キ−、該商品選択キ−の選択操作を確認するために操作される確認キ−、前記商品選択キ−の選択操作を取り消すために操作される取消キ−、及び各商品選択キ−毎に設けられ、一品目毎に該商品選択キ−が押されることにより点滅し、選択操作が確認キーの操作により確認された時に点滅から点灯に変わる複数の表示灯を備え、前記インタ−フェ−ス装置は、選択操作された上に前記確認キ−の操作により確認された商品選択キ−に対応する商品を識別する制御手段、及び該制御手段により識別された商品を表すデ−タ信号を前記テレビ共聴ラインを経て前記管理装置へ送信する送信手段を備え、前記管理装置は、前記インタ−フェ−ス装置からのデ−タ信号を受信し、冷蔵庫毎に課金処理し、記録する演算手段を備えたホテル等の冷蔵庫内商品利用の自動課金装置。」と訂正する。
（２）訂正事項ｂ
　本件明細書の段落０００５及び００２２における、「各商品選択キ−毎に設けられ、選択操作が確認キ−の操作により確認された時に点灯する複数の表示灯」の記載を、「各商品選択キ−毎に設けられ、一品目毎に該商品選択キ−が押されることにより点滅し、選択操作が確認キ−の操作により確認された時に点滅から点灯に変わる複数の表示灯」と訂正する。
２）訂正の目的の適否、新規事項の追加及び拡張・変更の存否
（１）訂正事項ａ
　特許請求の範囲の請求項１に記載された「各商品選択キ−毎に設けられ、選択操作が確認キ−の操作により確認された時に点灯する複数の表示灯」を「各商品選択キ−毎に設けられ、一品目毎に該商品選択キ−が押されることにより点滅し、選択操作が確認キ−の操作により確認された時に点滅から点灯に変わる複数の表示灯」に限定したものであるから、特許請求の範囲の減縮を目的とするものであって、適正な訂正である。
　この訂正は、願書に最初に添付した明細書に記載した事項の範囲内であって、新規事項を含むものではなく、また、実質上特許請求の範囲を拡張しまたは変更するものではない。
（２）訂正事項ｂ
　特許請求の範囲の訂正に対応して、本件明細書の記載をこれと整合するように訂正するものであるから、明りょうでない記載の釈明を目的とするものであり、適正な訂正である。
３）独立特許要件の適否
（１）訂正後の請求項１に係る発明について
　取消理由通知において引用された刊行物１、特開平４−２９３１５８号公報には実質的に「冷蔵庫の付近に置かれた操作面を有する端末機と、同軸ケ−ブルにより接続される情報処理装置とから成り、前記操作面は、各冷蔵庫内商品に対応する複数の商品名キ−、該商品名キ−の選択操作を確認するために操作される確認キ−、前記商品名キ−の選択操作を取り消すために操作される取消キ−を備え、前記端末機は、選択操作された上に前記確認キ−の操作により、販売デ−タを前記同軸ケ−ブルを経て前記情報処理装置へ送信する送信手段を備え、前記情報処理装置は、前記端末機からの販売デ−タを受信し、冷蔵庫毎に精算し、帳票として出力する演算手段を備えたホテル等の冷蔵庫内商品利用の客室情報管理システム。」（刊行物１の発明）が記載されている。
　同じく取消理由通知において引用された刊行物２、特開昭６２−１７５８６号公報には、「入力キ−１１に、そのキ−が押された場合に点灯する発光ダイオ−ドを装置すれば、客は押したキ−に間違いがないか否かを確認でき便利である。」（第２頁右下欄第１６乃至１９行目）と記載されている。
　しかし、本件訂正後の特許請求の範囲請求項１に係る発明の「各商品選択キ−毎に設けられ、一品目毎に該商品選択キ−が押されることにより点滅し、選択操作が確認キ−の操作により確認された時に点滅から点灯に変わる複数の表示灯」の構成は、上記刊行物１及び刊行物２には記載されていない。しかも、この構成により　「どの商品が既に取り出されているかを客に知らせる」機能において、上記刊行物１及び刊行物２にはみられない格別な作用・効果を奏するものであるから（平成１０年１２月７日付け特許異議意見書）、訂正後の特許請求の範囲請求項１に係る発明は、刊行物１及び刊行物２の記載に基いて当業者が容易に発明をすることができたものとすることはできない。
４）むすび
　以上のとおりであるから、上記訂正は、特許法第１２０条の４、第２項ただし書き規定並びに平成５年法律第２６号により改正された特許法第１２６条第１項ただし書き、同条第２項及び第３項の規定に適合するので、認めることができるものである。
４．特許異議の申立てについての判断
１）本件発明
　本件発明は、上記訂正請求により訂正された特許請求の範囲の請求項１に記載されたとおりのものである。
２）特許異議申立ての理由の概要
　特許異議申立ての理由の概要は、特開平４−２９３１５８号公報（甲第１号証）、特開昭６２−１７５８６号公報（甲第２号証）を提出して、本件特許の請求項１に係る発明は、前記甲第１乃至２号証に記載された発明に基いて当業者が容易に発明をすることができたものであるから、本件特許は、特許法第２９条第２項の規定に違反してなされたもので、取り消されるべきものであるというにある。
３）判断
　上記訂正後の請求項１に係る発明は、上記３の３）において検討した如く、甲第１号証（刊行物１）及び甲第２号証（刊行物２）の記載に基いて容易に発明をすることができたものとすることはできない。
　５．むすび
　以上のとおりであるから、特許異議申立ての理由及び証拠方法によっては、特許請求の範囲の請求項１に係る発明についての本件特許を取り消すことはできない。
　また、他に本件特許を取り消すべき理由を発見しない。
　よって、結論のとおり決定する。
【異議決定日】
平成１１年６月２２日（１９９９．６．２２）
【訂正の要旨】
１．訂正の要旨
１）本件特許の請求項１に係る発明
　本件特許明細書（以下、「本件明細書」という。）における特許請求の範囲の請求項１に係る記載、
　「冷蔵庫の付近に置かれた操作キ−装置と、該操作キ−装置に接続されたインタ−フェ−ス装置と、該インタ−フェ−ス装置にテレビ共聴ラインにより接続される管理装置とから成り、前記操作キ−装置は、各冷蔵庫内商品に対応する複数の商品選択キ−、該商品選択キ−の選択操作を確認するために操作される確認キ−、前記商品選択キ−の選択操作を取り消すために操作される取消キ−、及び各商品選択キ−毎に設けられ、選択操作が確認キ−の操作により確認された時に点灯する複数の表示灯を備え、前記インタ−フェ−ス装置は、選択操作された上に前記確認キ−の操作により確認された商品選択キ−に対応する商品を識別する制御手段、及び該制御手段により識別された商品を表すデ−タ信号を前記テレビ共聴ラインを経て前記管理装置へ送信する送信手段を備え、前記管理装置は、前記インタ−フェ−ス装置からのデ−タ信号を受信し、冷蔵庫毎に課金処理し、記録する演算手段を備えたホテル等の冷蔵庫内商品利用の自動課金装置。」を、特許請求の範囲の減縮を目的として、
　「冷蔵庫の付近に置かれた操作キ−装置と、該操作キ−装置に接続されたインタ−フェ−ス装置と、該インタ−フェ−ス装置にテレビ共聴ラインにより接続される管理装置とから成り、前記操作キ−装置は、各冷蔵庫内商品に対応する複数の商品選択キ−、該商品選択キ−の選択操作を確認するために操作される確認キ−、前記商品選択キ−の選択操作を取り消すために操作される取消キ−、及び各商品選択キ−毎に設けられ、一品目毎に該商品選択キ−が押されることにより点滅し、選択操作が確認キ−の操作により確認された時に点滅から点灯に変わる複数の表示灯を備え、前記インタ−フェ−ス装置は、選択操作された上に前記確認キ−の操作により確認された商品選択キ−に対応する商品を識別する制御手段、及び該制御手段により識別された商品を表すデ−タ信号を前記テレビ共聴ラインを経て前記管理装置へ送信する送信手段を備え、前記管理装置は、前記インタ−フェ−ス装置からのデ−タ信号を受信し、冷蔵庫毎に課金処理し、記録する演算手段を備えたホテル等の冷蔵庫内商品利用の自動課金装置。」と訂正する。
２）明りょうでない記載の釈明を目的として、本件明細書の段落０００５及び００２２における、「各商品選択キ−毎に設けられ、選択操作が確認キ−の操作により確認された時に点灯する複数の表示灯」の記載を、「各商品選択キ−毎に設けられ、一品目毎に該商品選択キ−が押されることにより点滅し、選択操作が確認キ−の操作により確認された時に点滅から点灯に変わる複数の表示灯」と訂正する。
（５４）【発明の名称】
ホテル等の冷蔵庫内商品利用の自動課金装置
（５７）【特許請求の範囲】
　【請求項１】　冷蔵庫の付近に置かれた操作キー装置と、該操作キー装置に接続されたインターフェース装置と、該インターフェース装置にテレビ共聴ラインにより接続される管理装置とから成り、前記操作キー装置は、各冷蔵庫内商品に対応する複数の商品選択キー、該商品選択キーの選択操作を確認するために操作される確認キー、前記商品選択キーの選択操作を取り消すために操作される取消キー、及び各商品選択キー毎に設けられ、
一品目毎に該商品選択キーが押されることにより点滅し、
点滅から点灯に変わる
【発明の詳細な説明】
　　【産業上の利用分野】
　本発明は、ホテル等の客室の冷蔵庫として、一般家庭用の冷蔵庫が設置、使用されている場合に、冷蔵庫内商品の利用を売上げとして処理する自動課金装置に関するものである。
　　【従来の技術】
　従来、ホテル等の客室の冷蔵庫として、一般家庭用の冷蔵庫が設置、使用されている場合には、冷蔵庫内商品利用の清算は、備付け伝票に客が記入して、チェックアウト時に会計に提出することにより、行われていた。
　　【発明が解決しようとする課題】
　そのため、チェックアウト時でのビル明細加算処理時間が長くかかっていた。
また、商品の売上管理、補充管理が容易ではなかった。
　本発明の目的は、チェックアウト時のビル明細加算処理時間を短縮することを可能にし、冷蔵庫内商品の売上管理、補充管理を容易にすることができるホテル等の冷蔵庫内商品利用の自動課金装置を提供することである。
　　【課題を解決するための手段】
　本発明は、冷蔵庫の付近に置かれた操作キー装置と、該操作キー装置に接続されたインターフェース装置と、該インターフェース装置にテレビ共聴ラインにより接続される管理装置とから成り、前記操作キー装置には、各冷蔵庫内商品に対応する複数の商品選択キー、該商品選択キーの選択操作を確認するために操作される確認キー、前記商品選択キーの選択操作を取り消すために操作される取消キー、及び各商品選択キー毎に設けられ、一品目毎に
該商品選択キーが押されることにより点滅し、
点滅から点灯に変わる
　　【作用】
　本発明では、客が操作キー装置の操作による自己申告を行うことで、冷蔵庫内商品利用のデータ信号がインターフェース装置を経て管理装置に送られ、管理装置の演算手段により冷蔵庫毎に課金処理が行われ、課金集計データとして記録される。
　　【実施例】
　図１は、本発明の一実施例である、ホテルの冷蔵庫内商品利用の自動課金装置を示す図である。
　該自動課金装置は、各客室１の冷蔵庫２の付近に設置された操作キー装置３と、該操作キー装置３に接続されたインターフェース装置４と、管理装置であるペイＣＰＵ５とから成る。該自動課金装置は、既設のペイシステム及びテレビ共聴ラインを利用しており、インターフェース装置４から客室端末器６までは専用の電線７により接続されるが、客室端末器６からペイＣＰＵ５まではテレビ共聴ライン８及びペイシステムヘッドエンド９を経て接続される。ペイシステムヘッドエンド９は、テレビ信号やテレビ利用データ信号、冷蔵庫利用データ信号を送受信したり、変調したり、混合したりするものである。客室端末器６にはテレビ受像機１０が接続され、一般テレビチャンネル、ホテルチャンネル、ペイチャンネルの画像をテレビ受像機に供給すると共に、テレビ利用データ信号をペイＣＰＵ５に送るものである。ペイＣＰＵ５はホストＣＰＵ１１に接続される。
　図２は操作キー装置３の一例を示す図である。
　操作キー装置３の操作面には、冷蔵庫内商品に対応する複数（図２では２０品目）の商品選択キー１２と、商品選択キー１２の選択操作を確認するために操作される確認キー１３と、商品選択キー１２の選択操作を取り消すために操作される取消キー１４と、各商品選択キー１２毎に設けられ、選択操作が確認キーの操作により確認された時に点灯する複数の表示灯１５と、確認表示灯１６と、取消表示灯１７とが配列されている。
　図３はインターフェース装置４の一例を示すブロック図である。
　インターフェース装置４には、制御手段１８と、制御手段１８により制御されて、冷蔵庫利用データ信号をＦＳＫ信号などによりペイＣＰＵ５へ送信する送信手段１９と、ペイＣＰＵ５から送られてくるチェックイン信号、チェックアウト信号などを受信し、制御手段１８に伝える受信手段２０と、商品をデータ信号に変換するためのコードなどを記憶するメモリ２１とを有する。
　次に動作について説明する。客がチェックインし、ホストＣＰＵ１１からチェックイン信号（アドレス信号を含む）が発信されると、ペイＣＰＵ５はこれによりアドレス信号により指定された客室１からのテレビ・冷蔵庫利用データ信号の受信準備を整え、インターフェース装置４及び客室端末器６は動作可能状態にセットされる。
　客が利用した冷蔵庫内商品を自己申告する場合には、操作キー装置３の利用商品、例えばビールに対応した商品選択キー１２を押す。これによりその商品選択キー１２の上にある表示灯１５が点滅する。その点滅を確認して客が確認キー１３を押すと、その上の確認表示灯１６は確認キー１３の押されている間だけ点灯し、押されなくなると消灯する。同時に、点滅していた表示灯１５は点灯に変わる。客は１品目ごとに上記操作を繰り返す。
　商品選択キー１２の選択操作とその後の確認キー１３の操作により、インターフェース装置４０制御手段１８は利用された商品、例えばビールを識別し、ビールに割り当てられたコードをメモリ２１から読み出し、送信手段１９に送る。送信手段１９は該コードをＦＳＫ信号などの冷蔵庫利用データ信号（アドレス信号を含む）に変換し、送信する。
　ペイＣＰＵ５は、冷蔵庫利用データ信号をテレビ共聴ライン８を経て受信すると、冷蔵庫毎（客室毎）に課金処理を行い、課金集計データとして何時でも出力可能な状態で不図示のメモリに記録する。
　一旦商品選択キー１２を押した後で、確認キー１３を押す前に、間違って押したことに気が付いた場合には、取消キー１４を押す。その上の取消表示灯１７は取消キー１４の押されている間だけ点灯し、押されなくなると消灯する。同時に、点滅していた表示灯１５は消灯する。これにより、制御手段１８は商品の自己申告がなかったと識別する。
　チェックアウト時には、ホストＣＰＵ１１からチェックアウト信号（アドレス信号を含む）が発信される。ペイＣＰＵ５は、これによってアドレス信号により指定された客室１のテレビ・冷蔵庫の課金集計データ信号をホストＣＰＵ１１に送ると共に、客室１からのテレビ・冷蔵庫利用データ信号の受信を停止する。
　ホストＣＰＵ１１は、ペイＣＰＵ５から送られたテレビ・冷蔵庫の課金集計データをビル明細に加算して、ビル明細をプリントアウトする。
　ペイＣＰＵ５は、テレビ・冷蔵庫の課金集計データからテレビ・冷蔵庫売上管理データ、冷蔵庫補充データ、テレビ・冷蔵庫利用の日報、月報を作成、記録し、要求に応じてプリントアウトする。
　以上のように、客が操作キー装置３を操作することによる自己申告で、冷蔵庫利用データ信号を管理装置であるペイＣＰＵ５へ送り、ペイＣＰＵ５により課金処理し、冷蔵庫の課金集計データとして記録するようにしたから、チェックアウト時にホストＣＰＵ１１に直ちに冷蔵庫の課金集計データを送ることができ、よって、チェックアウト時のビル明細加算処理時間を短縮することを可能にする。また、ペイＣＰＵ５により、冷蔵庫の課金集計データから冷蔵庫売上管理データや冷蔵庫補充データを容易に作成することができ、よって、冷蔵庫内商品の売上管理、補充管理を容易にすることができる。
　　【発明の効果】
　以上説明したように、本発明によれば、冷蔵庫の付近に置かれた操作キー装置と、該操作キー装置に接続されたインターフェース装置と、該インターフェース装置にテレビ共聴ラインにより接続される管理装置とから成り、前記操作キー装置には、各冷蔵庫内商品に対応する複数の商品選択キー、該商品選択キーの選択操作を確認するために操作される確認キー、前記商品選択キーの選択操作を取り消すために操作される取消キー、及び各商品選択キー毎に設けられ、
一品目毎に該商品選択キーが押されることにより点滅し、
点滅から点灯に変わる
【図面の簡単な説明】
　　【図１】
　本発明の一実施例である、ホテルの冷蔵庫内商品利用の自動課金装置を示す図である。
　　【図２】
　図１における操作キー装置の一例を示す平面図である。
　　【図３】
　図１におけるインターフェース装置の一例を示すブロック図である。
　　【符号の説明】
１　客室
２　冷蔵庫
３　操作キー装置
４　インターフェース装置
５　ペイＣＰＵ（管理装置）
８　テレビ共聴ライン
１１　ホストＣＰＵ
１２　商品選択キー
１３　確認キー
１４　取消キー
１５　表示灯
１６　確認表示灯
１７　取消表示灯
１８　制御手段
１９　送信手段
２０　受信手段
２１　メモリ